(57)【要約】      （修正有）【課題】ダイの吐出口を自動的に清掃、又は閉塞できる塗工装置を提供する。【解決手段】走行するウエブに塗工液を塗工するダイ１０と、補助手段とを有した塗工装置であって、ダイの吐出口を閉塞する蓋体５０と、吐出口を清掃する清掃装置５４と、蓋体と清掃装置を吐出口に当接した位置から離れた位置にそれぞれ移動させるエアーシリンダ３８と、を有する。【選択図】図５
2020028838.tif 000002
【特許請求の範囲】
【請求項１】
走行するウエブに塗工液を塗工するダイと、補助手段とを有した塗工装置であって、
前記ダイは、
前記塗工液が供給されるダイヘッドと、
前記ダイヘッドの幅方向に設けられ、前記塗工液を前記ウエブに塗工するためのスリット状の吐出口と、
を有し、
前記補助手段は、
前記吐出口を閉塞する幅方向に延びた蓋手段と、
前記蓋手段を、前記吐出口とは離れた位置から前記吐出口の位置に移動させて閉塞する移動手段と、
を有する塗工装置。
【請求項２】
前記補助手段は、
前記移動手段に設けられ、かつ、前記吐出口を幅方向に沿って清掃する清掃手段をさらに有し、
前記移動手段は、
前記蓋手段と前記清掃手段が共に前記吐出口から離れた位置にあり、前記ダイによって前記ウエブを塗工する塗工位置と、
前記蓋手段が前記吐出口から離れた位置にあり、前記清掃手段が前記吐出口に位置して清掃を行う清掃位置と、
前記清掃手段が前記吐出口から離れた位置にあり、前記蓋手段が前記吐出口を閉塞する閉塞位置に、
前記蓋手段と前記清掃手段とをそれぞれ移動させる、
請求項１に記載の塗工装置。
【請求項３】
走行するウエブに塗工液を塗工するダイと、補助手段とを有した塗工装置であって、
前記ダイは、
前記塗工液が供給されるダイヘッドと、
前記ダイヘッドの幅方向に設けられ、前記塗工液を前記ウエブに塗工するためのスリット状の吐出口と、
を有し、
前記補助手段は、
前記吐出口を幅方向に沿って清掃する清掃手段と、
前記清掃手段を、前記吐出口とは離れた位置から前記吐出口に移動させる移動手段と、
を有する塗工装置。
【請求項４】
前記補助手段は、
前記移動手段に設けられ、かつ、前記吐出口を閉塞する蓋手段をさらに有し、
前記移動手段は、
前記蓋手段と前記清掃手段が共に前記吐出口から離れた位置にあり、前記ダイによって前記ウエブを塗工する塗工位置と、
前記蓋手段が前記吐出口から離れた位置にあり、前記清掃手段が前記吐出口に位置して清掃を行う清掃位置と、
前記清掃手段が前記吐出口から離れた位置にあり、前記蓋手段が前記吐出口を閉塞する閉塞位置に、
前記蓋手段と前記清掃手段とをそれぞれ移動させる、
請求項３に記載の塗工装置。
【請求項５】
前記蓋手段は、
前記吐出口を閉塞する幅方向に延びた直方体の蓋体と、
前記蓋体を支持する蓋支持部と、
を有する請求項１又は４に記載の塗工装置。
【請求項６】
前記清掃手段は、
前記吐出口を清掃する清掃体と、
前記清掃体を支持する清掃支持部と、
前記清掃支持部を幅方向に沿って移動させる清掃移動手段と、
を有する請求項２又は３に記載の塗工装置。
【請求項７】
前記蓋手段は、
前記吐出口を閉塞する幅方向に延びた直方体の蓋体と、
前記蓋体を支持する蓋支持部と、
を有し、
前記清掃手段は、
前記吐出口を清掃する清掃体と、
前記清掃体を支持する清掃支持部と、
前記清掃支持部を幅方向に沿って移動させる清掃移動手段と、
を有し、
前記移動手段は、
前記蓋支持部と前記清掃支持部とを支持する左右一対の腕部と、
左右一対の前記腕部を、回転軸を中心に前記塗工位置、前記清掃位置、前記閉塞位置にそれぞれ回転させる回転手段と、
を有する請求項２又は４に記載の塗工装置。
【請求項８】
左右一対の前記腕部の間に支持板が架設され、
前記支持板の左右方向の一辺に前記蓋支持部が設けられ、
前記支持板の前記一辺から延設板が設けられ、
前記延設板に前記清掃移動手段が設けられている、
請求項７に記載の塗工装置。
【請求項９】
前記回転手段は、エアーシリンダであって、前記エアーシリンダのロッドの先端が、前記腕部の回転軸と偏心した位置に取り付けられている、
請求項７に記載の塗工装置。
【請求項１０】
前記回転手段の主回転軸を中心とした前記蓋体と前記清掃体の回転軌道上に、前記ダイの前記吐出口が位置する、
請求項９に記載の塗工装置。
【請求項１１】
前記移動手段が、前記蓋支持部と前記清掃支持部とを前記塗工位置に移動させたときに、前記ダイを、前記ウエブを搬送する搬送ローラの近くに直線移動させる直線移動手段をさらに有する、
請求項７に記載の塗工装置。
【請求項１２】
前記ダイヘッドは、
第１本体と、
第２本体と、
前記第１本体に設けられた液溜め部と、
前記液溜め部を挟んで前記第１本体と前記第２本体とが組み合わさった状態で、前記液溜め部から延びた液通路と、
前記液溜め部を挟んで前記第１本体と前記第２本体とが組み合わさった状態で、前記ダイヘッドの先端からくちばし状に突出した突出部と、
を有し、
前記突出部の先端であって、前記液通路の先端に前記吐出口が設けられている、
請求項１乃至１１のいずれか一項に記載の塗工装置。
【請求項１３】
前記ダイは、水平状態に設けられている、
請求項１乃至１２のいずれか一項に記載の塗工装置。
【請求項１４】
前記ダイは、垂直状態に設けられている、
請求項１乃至１２のいずれか一項に記載の塗工装置。
【発明の詳細な説明】
【技術分野】
【０００１】
本発明は、塗工装置に関するものである。
【背景技術】
【０００２】
フィルム、紙、布帛、金属箔などの長尺状のウエブに塗工液を塗工するダイは、塗工終了後に作業員がダイの吐出口を清掃し、また、ダイを使用しない場合には吐出口を粘着テープによって閉塞し、ゴミなどが入らないようにしている。
【先行技術文献】
【特許文献】
【０００３】
【特許文献１】特開２００４−６６１６４号公報
【発明の概要】
【発明が解決しようとする課題】
【０００４】
しかし、ダイの吐出口の清掃や吐出口を閉塞する作業は、作業員にとって手間がかかるという問題点があった
そこで本発明は上記問題点に鑑み、ダイの吐出口を自動的に清掃、又は閉塞できる塗工装置を提供することを目的とする。
【課題を解決するための手段】
【０００５】
本発明は、走行するウエブに塗工液を塗工するダイと、補助手段とを有した塗工装置であって、前記ダイは、前記塗工液が供給されるダイヘッドと、前記ダイヘッドの幅方向に設けられ、前記塗工液を前記ウエブに塗工するためのスリット状の吐出口と、を有し、前記補助手段は、前記吐出口を閉塞する幅方向に延びた蓋手段と、前記蓋手段を、前記吐出口とは離れた位置から前記吐出口の位置に移動させて閉塞する移動手段と、を有する塗工装置である。
【発明の効果】
【０００６】
本発明によれば、ダイの吐出口を蓋手段によって吐出口を閉塞したり、清掃手段によって清掃できる。
【図面の簡単な説明】
【０００７】
【図１】本発明の一実施形態を示す塗工装置の側面図である。
【図２】塗工モードにおけるダイと補助装置の側面図である。
【図３】塗工モードにおける補助装置とダイの正面図である。
【図４】塗工モードにおけるダイと補助装置の斜視図である。
【図５】清掃モードにおけるダイと補助装置の側面図である。
【図６】清掃モードにおけるダイと補助装置の正面図である。
【図７】図５におけるＡ−Ａ線断面図である。
【図８】清掃モードにおけるダイと補助装置の斜視図である。
【図９】閉塞モードにおけるダイと補助装置の側面図である。
【図１０】閉塞モードにおけるダイと補助装置の正面図である。
【図１１】図９におけるＢ−Ｂ線断面図である。
【図１２】閉塞モードのダイと補助装置の斜視図である。
【発明を実施するための形態】
【０００８】
以下、本発明の一実施形態の塗工装置１について図１〜図１２を参照して説明する。塗工装置１は、フィルム、紙、布帛、金属箔などのウエブＷに塗工液を塗工する。
【０００９】
（１）塗工装置１
塗工装置１について図１を参照して説明する。水平な床面に載置された台座２の上面には、レール３が水平に設けられ、このレール３の上を基台４が前後方向に、不図示のエアーシリンダ、又はリニアモータで移動する。基台４の上には、塗工を行うためのダイ１０と補助装置５が載置されている。
【００１０】
台座２の前方には、上ローラ６と下ローラ７が上下方向に配置され、ウエブＷが回転する下ローラ７から上ローラ６によって搬送される。
【００１１】
（２）ダイ１０
ダイ１０について図１を参照して説明する。ダイ１０は、ウエブＷに塗工液を塗工するものであり、基台４の前部に水平に固定されている。ダイ１０の本体を構成するダイヘッド１２は、上ダイ１４と下ダイ１６と、シム２２より構成されている。下ダイ１６の上面には、図１と図７に示すように左右方向に液溜め部１８が設けられている。また、上ダイ１４と下ダイ１６の間にはコの字状のシム２２が挟まれ、これにより液溜め部１８からダイヘッド１２の先端に向かって液通路２０が水平に形成され、その先端がスリット状に開口した吐出口２４を形成している。この吐出口２４の左右方向が、ウエブＷの幅方向に対応する。
【００１２】
また、上ダイ１４と下ダイ１６を組み合わせた状態で、ダイヘッド１２は吐出口２４に近づくほど細くなるように三角形状に形成され、その先端がくちばし状に突出して突出部２６が形成されている。この突出部２６の先端面に上記した吐出口２４が形成されている。この突出部２６の先端面の形状は上下方向において直線状、又はやや曲面状に形成されている。曲面状に形成する場合には、上にいくほどウエブＷに近づくように形成され、エッジをなしている。
【００１３】
液溜め部１８の中央部から下ダイ１６の後面に向かって塗工液の供給口２８が形成されている。
【００１４】
（３）補助装置５
次に、補助装置５について図２〜図１２を参照して説明する。基台４の後部の上面に左右一対の脚部３０，３０が立設されている。左右一対の脚部３０の上端部には、左右一対の腕部３２がそれぞれ設けられている。すなわち、脚部３０の上端部と、板状の腕部３２の下端部とが腕回転軸３４を介して回転自在に取り付けられている。
【００１５】
左右一対の脚部３０の後部には支持柱３６が上下方向に設けられ、その上端部が脚部３０よりも突出している。そして、それぞれの支持柱３６の上端部には、エアーシリンダ３８がシリンダ回転軸４０を介して回転自在、かつ、ほぼ水平にそれぞれ取り付けられている。
【００１６】
左右一対のエアーシリンダ３８のロッド４２の先端は、ロッド回転軸４４を介して腕部３２に回転自在に取り付けられている。ロッド回転軸４４と腕回転軸３４とは、偏心した位置に設けられ、エアーシリンダ３８がロッド４２を伸縮させることにより、腕部３２が脚部３０に対し回転する。
【００１７】
左右一対の腕部３２，３２の上端の間には、支持板４６が左右方向に架設されている。この支持板４６の上下方向の長さは、図５、図９に示すように、腕部３２の先端を上方に回転させたときに、支持板４６の下部がダイ１０の吐出口２４に届く長さＬに設定されている。
【００１８】
支持板４６の下端近傍であって、ダイ１０に対向する面には、図１１に示すように蓋支持部４８が左右方向（ウエブＷの幅方向）に設けられ、その内部に硬性の合成樹脂、ゴムなどよりなる直方体の蓋体５０が収納されている。この蓋体５０は、スリット状の吐出口２４を全て閉塞できる。
【００１９】
支持板４６の下端は左右方向に凹み、取り付け溝５２が設けられ、この取り付け溝５２のダイ１０に対向する面には、清掃装置５４が左右方向（ウエブＷの幅方向）に設けられている。清掃装置５４の左右方向の長さは、蓋支持部４８よりも長く形成されている。清掃装置５４は、取り付け溝５２に固定された直線状のレール５６と、このレール５６上を左右方向に走行する清掃支持部５８と、この清掃支持部５８の先端に設けられた直方体の清掃体６０とを有している。清掃体６０は、例えばスポンジなどの合成樹脂などである。レール５６は、リニアモータであり、清掃支持部５８を左右方向に移動させる。これにより、突出部２６の表面の吐出口２４を清掃体６０で拭き取って全て清掃できる。
【００２０】
ここで、腕部３２によって移動する蓋体５０と清掃体６０とシリンダ回転軸４０とロッド回転軸４４の位置関係について説明する。腕部３２が腕回転軸３４を中心に回転し、図５に示すように、清掃体６０が突出部２６の表面に位置する必要がある。また、腕部３２が腕回転軸３４を中心にさらに回転し、図９に示すように、蓋体５０が突出部２６の吐出口２４を閉塞する。そのために、腕部３２の長さ及び支持板４６の長さを予め決定しておく。すなわち、図５、図９に示すように腕回転軸３４とダイ１０の突出部２６までの直線距離Ｒは常に一定であるため、この位置に常に清掃体６０又は蓋体５０が回転するように、腕部３２の長さ、支持板４６の長さ、腕部３２と支持板４６の取り付け角度、支持板４６の長さＬ、蓋体５０と清掃体６０の位置、シリンダ回転軸４０とロッド回転軸４４の位置を設定する。
【００２１】
（４）塗工装置１の動作状態
次に、塗工装置１は、塗工モード、清掃モード、閉塞モードの各動作を行うことができるので、それら各モードについて順番に説明する。
【００２２】
（４−１）塗工モード
塗工モードは、ダイ１０がウエブＷを塗工するモードである。
【００２３】
図１に示すように、基台４をレール３に沿って台座２の前部（図１において実線で記載された図参照）まで移動させ、ダイヘッド１２をウエブＷに近づける。そして、突出部２６が、上ローラ６と下ローラ７との間に架け渡されたウエブＷの片面に近接した位置で基台４を固定する。この場合に、このウエブＷと突出部２６の間隙寸法は、塗工厚によって決定される。
【００２４】
また、図１に示すように、蓋体５０と清掃体６０は、塗工の邪魔にならないようにするために、エアーシリンダ３８で左右一対の腕部３２，３２を回転させ、ダイ１０の上方に位置させて待機させる。
【００２５】
次に、図２〜図４に示すように、上ローラ６と下ローラ７を回転させて、ウエブＷを下から上に走行させると共に、外部から塗工液をダイヘッド１２の供給口２８、液溜め部１８、液通路２０、吐出口２４に流し、走行するウエブＷの片面に塗工液を塗工する。
【００２６】
（４−２）清掃モード
清掃モードは、ダイ１０の吐出口２４を清掃するモードである。
【００２７】
図１に示すように、ダイ１０による塗工液の塗工が終了すると、塗工液の供給を停止させ、レール３に沿って基台４を台座２の後部（図１において二点鎖線で記載された図参照）まで移動させ、ダイ１０を上ローラ６と下ローラ７から離す。
【００２８】
次に、図５、図６、図８に示すように、左右一対のエアーシリンダ３８，３８が、左右一対の腕部３２，３２を回転させ、待機位置から清掃装置５４をダイヘッド１２の突出部２６の位置である清掃位置に回転させる。なお、清掃体６０は、ダイヘッド１２の右側よりもさらに右側の位置のレール５６上に位置しており、この位置が初期位置である。
【００２９】
次に、図７に示すように、レール５６に沿って清掃体６０を初期位置から左側に移動させ、突出部２６の表面を清掃体６０で拭くことによって清掃する。吐出口２４の左端まで行くと、今度は右側に清掃体６０を移動させて清掃する。そして初期位置にくると清掃体６０を停止させる。
【００３０】
（４−３）閉塞モード
閉塞モードは、ダイ１０の吐出口２４を閉塞するモードである。
【００３１】
吐出口２４の表面の清掃が終了すると、図９〜図１２に示すように、左右一対のエアーシリンダ３８，３８が、清掃位置からさらに左右一対の腕部３２，３２を閉塞位置まで回転させて、蓋体５０で吐出口２４を閉塞する。
【００３２】
（５）効果
本実施形態によれば、移動手段である左右一対のエアーシリンダ３８，３８で蓋体５０と清掃装置５４を回転させることにより、吐出口２４の清掃を清掃装置５４で行う清掃モード、吐出口２４を蓋体５０によって閉塞する閉塞モードを、作業員の手作業で行う必要がない。
【００３３】
また、清掃モードにおいては、突出部２６の表面を清掃体６０で右から左及び左から右に移動させながら清掃するため、より綺麗に清掃できる。
【００３４】
また、閉塞モードにおいては、蓋体５０が吐出口２４を完全に閉塞するためゴミ等が内部に侵入しない。
【００３５】
また、ダイ１０によって塗工液をウエブＷに塗工している塗工モードでは、補助装置５に設けられた蓋体５０と清掃体６０は、離れた位置で待機し、塗工の邪魔にならない。
【００３６】
（６）変更例
上記実施形態では、腕部３２を回転させる移動手段としてエアーシリンダ３８を用いたが、これに代えてモータを用いてもよい。
【００３７】
また、上記実施形態では、上ダイ１４と下ダイ１６の間を通るウエブＷにダイ１０が塗工液を塗工したが、これに代えて１個のバックアップローラによって搬送されるウエブＷの表面にダイ１０が塗工液を塗工する構成でもよい。
【００３８】
また、上記実施形態では、ダイ１０を水平に載置したが、これに限らず吐出口２４が上面になるようにダイ１０を垂直方向に配置し、補助装置５もそのダイ１０の横に配置してもよい。
【００３９】
また、上記実施形態では、清掃装置５４と蓋体５０の両方を有したが、これに限らず、支持板４６の下端に清掃装置５４のみを設け清掃モードのみを自動で行い、吐出口２４の閉塞は手動で行ってもよい。また、支持板４６の下端に蓋体５０のみを設け閉塞モードのみを自動で行い、吐出口２４の清掃は手動で行ってもよい。
【００４０】
また、上記実施形態では、ダイ１０にシム２２を取り付けたが、これに限らずシム２２を取り付けないダイであってもよい。
【００４１】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
１・・・塗工装置、５・・・補助装置、１０・・・ダイ、１２・・・ダイヘッド、２４・・・吐出口、２６・・・突出部、３０・・・脚部、３２・・・腕部、３８・・・エアーシリンダ、５０・・・蓋体、５４・・・清掃装置、６０・・・清掃体
【図１】
2020028838.tif 000003
【図２】
2020028838.tif 000004
【図３】
2020028838.tif 000005
【図４】
2020028838.tif 000006
【図５】
2020028838.tif 000007
【図６】
2020028838.tif 000008
【図７】
2020028838.tif 000009
【図８】
2020028838.tif 000010
【図９】
2020028838.tif 000011
【図１０】
2020028838.tif 000012
【図１１】
2020028838.tif 000013
【図１２】
2020028838.tif 000014